(57)【要約】【課題】押しボタンの幅を狭めることなく、押しボタンの操作性を向上した押しボタン構造および車載用音響装置を提供する。【解決手段】パネル１３に設けた押しボタン１５を押し込んで押しボタン裏側の基板上の接点を切換可能にした押しボタン構造において、一端１９Ａが前記押しボタン１５の端縁に連結され、他端１９Ｂが当該押しボタン１５の押し込み側に延びた後にＵターンして押し込み側とは逆側に戻り、幅が押しボタンの幅内に収まるヒンジ１９を備え、ヒンジ１９の他端１９Ｂの幅方向中央に前記パネルの位置決め穴に嵌り、ヒンジ支点部となる位置決めボス２１を設けた。【選択図】図３
2007311049.tif 000002
【特許請求の範囲】
【請求項１】
パネルに設けた押しボタンを押し込んで当該押しボタン裏側の基板上の接点を切換可能にした押しボタン構造において、
一端が前記押しボタンの端縁に連結され、他端が当該押しボタンの押し込み側に延びた後にＵターンして押し込み側とは逆側に戻り、幅が押しボタンの幅内に収まるヒンジを備え、ヒンジの他端の幅方向中央に前記パネルの位置決め穴に嵌り、ヒンジ支点部となる位置決めボスを設けたことを特徴とする押しボタン構造。
【請求項２】
前記押しボタンを縦長に形成し当該押しボタンの上端縁にヒンジを設けたことを特徴とする請求項１に記載の押しボタン構造。
【請求項３】
前記位置決め穴を前記パネルの裏面に設けたことを特徴とする請求項１または２に記載の押しボタン構造。
【請求項４】
前記ヒンジおよび押しボタンの幅寸法を略等しくしたことを特徴とする請求項１ないし３のいずれか一項に記載の押しボタン構造。
【請求項５】
前記ヒンジおよび押しボタンを一体成形したことを特徴とする請求項１ないし４のいずれか一項に記載の押しボタン構造。
【請求項６】
再生装置本体と、その前面に設けたモニタパネルと、モニタパネルの押しボタンとを備え、当該押しボタンを押して押しボタン裏側の再生装置制御基板上の接点を切換可能にした車載用音響装置において、
一端が前記押しボタンの端縁に連結され、他端が当該押しボタンの押し込み側に延びた後にＵターンして押し込み側とは逆側に戻り、幅が押しボタンの幅内に収まるヒンジを備え、ヒンジの他端の幅方向中央に前記パネルの位置決め穴に嵌り、ヒンジ支点部となる位置決めボスを設けたことを特徴とする車載用音響装置。
【発明の詳細な説明】
【技術分野】
【０００１】
本発明は、押しボタン裏側の基板上の接点を切換可能にした押しボタン構造および車載用音響装置に関する。
【背景技術】
【０００２】
一般に、車載用音響装置では記録媒体としてのＭＤやＣＤ−ＲＯＭ等を再生するものが知られている。この種のものでは再生装置本体の前面側にモニタパネルを備え、このモニタパネルに複数の押しボタンを配置し、各押しボタンを押して当該押しボタン裏側に配置した再生装置制御基板上の接点を切換可能にしたものが提案されている（例えば、特許文献１参照）。従来の車載用音響装置は、図５Ａ〜図５Ｃに示すように、基板５１上に接点５２を支持し、この接点５２を押動可能に押しボタン５３を配置して構成される。この押しボタン５３は、略Ｕ字形状のヒンジ５４を備え、このヒンジ５４の両端に張り出した２カ所のヒンジ支点部５４Ａ，５４Ｂをモニタパネル５５の位置決め穴５５Ａに嵌合し、押しボタン５３を図５Ａの矢印Ｘ方向に押すことで、基板５１上の接点５２を押動かつ切換可能に構成されている。
【特許文献１】実開平４−７８７３０号公報
【発明の開示】
【発明が解決しようとする課題】
【０００３】
しかし、従来の構成では、ヒンジ５４に設けたヒンジ支点部５４Ａ，５４Ｂが押しボタン５３の幅外方に張り出すため、この押しボタン５３をモニタパネル５５の狭隘な取り付け部位に取り付けることが困難になる。押しボタン５３の取り付け部位には別異の部品を取り付けるボスなどが位置し、これと干渉しないように押しボタン５３を取り付けるには、ボタン全体の配置スペースに制限を受ける。そのため従来ヒンジ支点部５４Ａ，５４Ｂが張り出す分だけ押しボタン５３の幅を狭めているが、幅が狭まるとボタン５３の操作性が悪化するという問題があった。
【０００４】
そこで、本発明の目的は、上述した従来の技術が有する課題を解消し、押しボタンの幅を狭めることなく、押しボタンの操作性を向上した押しボタン構造および車載用音響装置を提供することにある。
【課題を解決するための手段】
【０００５】
本発明は、パネルに設けた押しボタンを押し込んで押しボタン裏側の基板上の接点を切換可能にした押しボタン構造において、一端が前記押しボタンの端縁に連結され、他端が当該押しボタンの押し込み側に延びた後にＵターンして押し込み側とは逆側に戻り、幅が押しボタンの幅内に収まるヒンジを備え、ヒンジの他端の幅方向中央に前記パネルの位置決め穴に嵌り、ヒンジ支点部となる位置決めボスを設けたことを特徴とする。
本構成では、ヒンジの幅が押しボタンの幅内に収まり、ヒンジの他端の中央部にヒンジ支点部となる位置決めボスを設けたため、ヒンジ支点部が押しボタンの幅の外側に張り出すことがなく、押しボタンを狭隘な部位に取り付ける場合であっても、ボタン全体の配置スペースに制限を受けることなく、押しボタンの幅を広げることができ、これにより押しボタンの操作性を向上できる。
【０００６】
この場合において、前記押しボタンを縦長に形成し当該押しボタンの上端縁にヒンジを設けてもよい。また、前記位置決め穴を前記パネルの裏面に設けてもよい。前記ヒンジおよび前記押しボタンの幅寸法を略等しくしてもよい。前記ヒンジおよび前記押しボタンを一体成形してもよい。
【０００７】
再生装置本体と、その前面に設けたモニタパネルと、モニタパネルの押しボタンとを備え、当該押しボタンを押して押しボタン裏側の再生装置制御基板上の接点を切換可能にした車載用音響装置において、一端が前記押しボタンの端縁に連結され、他端が当該押しボタンの押し込み側に延びた後にＵターンして押し込み側とは逆側に戻り、幅が押しボタンの幅内に収まるヒンジを備え、ヒンジの他端の幅方向中央に前記パネルの位置決め穴に嵌り、ヒンジ支点部となる位置決めボスを設けてもよい。
【発明の効果】
【０００８】
本発明では、一端が押しボタンの端縁に連結され、他端が当該押しボタンの押し込み側に延びた後にＵターンして押し込み側とは逆側に戻り、幅が押しボタンの幅内に収まるヒンジを備え、ヒンジの他端の幅方向中央にパネルの位置決め穴に嵌り、ヒンジ支点部となる位置決めボスを設けたため、ヒンジ支点部が押しボタンの幅の外側に張り出さず、狭隘な部位に取り付ける場合であっても、ボタン全体の配置スペースに制限を受けることなく、押しボタンの幅を広げ、押しボタンの操作性を向上できる。
【発明を実施するための最良の形態】
【０００９】
以下、本発明の一実施形態を、図面に基づいて説明する。
図１において、１０は、車載用音響装置を示し、この車載用音響装置１０は、再生装置本体１１と、その前面に配置されたモニタパネル１３とを備え、モニタパネル１３の周辺部には複数の樹脂製の押しボタン（選択スイッチ）１５が配置されている。モニタパネル１３が開かれると、図示は省略したが、再生装置本体１１の前部にＣＤやＤＶＤ等を挿入自在な挿入口が露出し、この挿入口に挿入されたＣＤやＤＶＤ等が、再生装置本体に入って、記録情報再生が行われる。
【００１０】
本構成では、押しボタン１５が、図２および図３Ａ〜Ｃに示すように、樹脂製のスイッチ本体１７と、スイッチ本体１７の背部１７Ａに一体的に形成されたヒンジ１９とを備えている。押しボタン１５は縦長の押しボタンであり、押しボタン１５の長手方向の一端に弾性を有したヒンジ１９が連結されている。ヒンジ１９の一端１９Ａは、押しボタン１５の背部１７Ａの端縁１７Ｂに連結され、ヒンジ１９の他端１９Ｂは、押しボタン１５の押し込み側（矢印Ａ方向）に延びた後に略Ｕターンして押し込み側とは逆側（矢印Ｂ方向）に戻ってスイッチ本体１７の背部１７Ａの手前で終端する。ヒンジ１９の幅Ｗ１は押しボタン１５の幅Ｗ２内に収まる。このヒンジ１９は、図２に示すように、スイッチ本体１７の背部１７Ａの横幅方向両端から延びた一対の延出部１９Ｃと、各延出部１９Ｃを横幅方向に連結する連結部１９Ｄとを備え、この連結部１９Ｄが上記ヒンジ１９の他端１９Ｂを構成し、この他端１９Ｂの幅方向略中央部の１カ所に、ヒンジ支点部となる位置決めボス２１が一体に設けられている。この位置決めボス２１は、図２に示すように、押しボタン１５の幅方向に横長の略楕円形状を呈し、図３Ｃに示すように、同じく略楕円形状のモニタパネル１３の位置決め穴１３Ａに嵌合する。上述した位置決めボス２１は、略楕円形状に限定されず、例えば横長の長方形状等であってもよい。上記押しボタン１５の回り止めになる形状であればよく、また、縦長の押しボタン１５の縦方向に余り張り出さない横長形状とすることが望ましい。
【００１１】
図３Ａは、押しボタン１５と、基板３１上の接点３３との相対位置関係を示す。押しボタン１５の裏側には再生装置制御基板３１が配置され、この基板３１上には接点３３が実装されている。押しボタン１５が押されると、その突起３５により接点３３が押し込まれ、接点が切り換えられる。
【００１２】
図４は、モニタパネル１３を裏面から見た図である。この裏面には複数の縦長の押しボタン１５が縦に配列されている。モニタパネル１３の裏面には縦に延びた補強用或いは基板押さえ用の縦リブ１３Ｂが一体に形成され、縦リブ１３Ｂには複数の横リブ１３Ｃや押しボタン５３とは別異の部品を取り付けるボス１３Ｄが形成されている。縦リブ１３Ｂ間の幅Ｗ３は押しボタン１５の幅Ｗ２よりも大きく、しかし押しボタン５３を組み込むには狭隘に形成されている。
【００１３】
本実施の形態では、図３Ｃを参照し、モニタパネル１３の裏面側から押しボタン１５をボタン孔１３Ｅに挿入し、上記ヒンジ１９の他端１９Ｂに形成した位置決めボス２１をモニタパネル１３の位置決め穴１３Ａに嵌合する。本構成では、このワンモーションにより押しボタン１５の取り付け作業が完了する。すなわち、位置決めボス２１が押しボタン１５の挿入方向に延びているため、押しボタン１５の挿入動作と、位置決めボス２１を位置決め穴１３Ａに嵌合する動作とを、矢印Ｂ方向へのワンモーションで行うことができ、取り付け作業を簡素化できる。
【００１４】
ヒンジ１９の一端１９Ａが押しボタン１５の端縁に連結され、他端１９Ｂが押しボタン１５の押し込み側に延びた後に略Ｕターンして押し込み側とは逆側に戻り、幅が押しボタン１５の幅内に収まり、ヒンジ１９の他端１９Ｂの幅方向中央にヒンジ支点部となる位置決めボス２１を設けたため、図４に示すように、狭隘な縦リブ１３Ｂ間に、その幅略一杯に延在する押しボタン１５を容易に取り付けできる。また、位置決めボス２１が楕円形状であるため、押しボタン１５の回り止めとなり、横長の楕円であるため、ヒンジ１９の連結部１９Ｄの幅に収まり、連結部１９Ｄの外に張り出さない。さらに、ヒンジ１９が略Ｕターンする構成であるため、押しボタン１５の縦幅の外にも余りヒンジ１９が張り出さず、縦列方向のレイアウトが容易である。
【００１５】
従って、押しボタン１５を狭隘な部位に取り付ける場合であっても、ボタン全体の配置スペースに制限を受けることが少なく、押しボタン１５の幅を広げることができ、これにより押しボタン１５の操作性が向上する。
【００１６】
以上、一実施の形態に基づいて本発明を説明したが、本発明は、これに限定されるものではなく、種々の変更実施が可能である。
【００１７】
車載用音響装置は、運転席のインストルメントパネルのような狭隘な部位に取り付けられるため、一般的にコンパクト化が図られる。従って、押しボタンも比較的小さなものとなり、操作性良好なことが重要である。
本構成では、ヒンジの中央の１カ所に位置決めボス２１を配置したため、ボタンスペースが取れるようになり、ボタンの幅を狭めることなく、狭隘なスペースに取り付けでき、簡易な構成で、操作性良好な押しボタンが提供される。
【図面の簡単な説明】
【００１８】
【図１】本発明の一実施の形態を示す斜視図である。
【図２】押しボタンの斜視図である。
【図３】Ａは押しボタンと接点の配置を示す図であり、Ｂは押しボタンの背面図、Ｃは押しボタンの側面図である。
【図４】モニタパネルを裏面から見た図である。
【図５】Ａは押しボタンと接点の配置を示す図であり、Ｂは押しボタンの正面図、Ｃは押しボタンの斜視図である。
【符号の説明】
【００１９】
１０  車載用音響装置
１１  再生装置本体
１３  モニタパネル
１３Ａ  位置決め穴
１５  押しボタン
１７  スイッチ本体
１９  ヒンジ
１９Ａ  一端
１９Ｂ  他端
２１  位置決めボス
３１  基板
３３  接点
【図１】
2007311049.tif 000003
【図２】
2007311049.tif 000004
【図３】
2007311049.tif 000005
【図４】
2007311049.tif 000006
【図５】
2007311049.tif 000007